(57)【要約】【課題】公衆SIP網と私設通信網を接続するメディアゲートウェイに障害が発生した際に音声通信を分断せず継続することを、冗長メディアゲートウェイ構成を採ることなく実現する。【解決手段】REGISTERメソッドに使用するREGISTER番号及び認証情報を管理する手段と、各メディアゲートウェイからのREGISTER番号及び認証情報によりメディアゲートウェイを経由して公衆SIP網と私設通信網を接続するSIP対応メディアゲートウェイシステムにおいて、メディアゲートウェイの障害状態を監視する手段と、メディアゲートウェイの障害発生時に、該メディアゲートウェイのREGISTER番号及び認証情報を正常状態のメディアゲートウェイに共有させる手段を備える。【選択図】図１
2009055342.tif 000002
【特許請求の範囲】
【請求項１】
各メディアゲートウェイからのREGISTER番号及び認証情報によりメディアゲートウェイを経由して公衆SIP網と私設通信網を接続するSIP対応メディアゲートウェイシステムにおいて、
REGISTERメソッドに使用するREGISTER番号及び認証情報を管理する手段と、
前記メディアゲートウェイの障害状態を監視する手段と、
前記メディアゲートウェイの障害発生時に、該メディアゲートウェイのREGISTER番号及び認証情報を正常状態のメディアゲートウェイに共有させる手段を備えたことを特徴とするSIP対応メディアゲートウェイシステム。
【請求項２】
各メディアゲートウェイからのREGISTER番号及び認証情報によりメディアゲートウェイを経由して公衆SIP網と私設通信網を接続するSIP対応メディアゲートウェイシステムにおいて、
前記公衆SIP網及び前記メディアゲートウェイが接続されたIP通信網に、
前記メディアゲートウェイそれぞれに対して設定されたREGISTER番号及び認証情報を格納している認証情報データベースと、
各メディアゲートウェイの状態を監視し、メディアゲートウェイに障害が発生すると、障害が発生していないメディアゲートウェイを検索する障害監視処理部と、
起動時および所定時間経過後にメディアゲートウェイから通知されるメディアゲートウェイ、また前記障害発生時に障害監視処理部から通知される障害が発生していないメディアゲートウェイそれぞれについて前記メディアゲートウェイ認証情報データベースを検索する番号・認証情報一括管理処理部と、
起動時には起動通知元のメディアゲートウェイ、また障害発生時には前記障害監視処理部から通知される障害が発生していないメディアゲートウェイに前記番号・認証情報一括管理処理部が検索したREGISTER番号及び認証情報を通知する番号・認証情報通知処理部とで構成される制御サーバーを接続したことを特徴とするSIP対応メディアゲートウェイシステム。
【請求項３】
前記制御サーバーの機能を前記IP通信網に接続されたIP-PBXに組み込んだことを特徴とする請求項２記載のSIP対応メディアゲートウェイシステム。
【請求項４】
各メディアゲートウェイからのREGISTER番号及び認証情報によりメディアゲートウェイを経由して公衆SIP網と私設通信網を接続するSIP対応メディアゲートウェイシステムにおいて、
前記各メディアゲートウェイは、
自装置のREGISTER番号情報，認証情報及び自装置IPアドレスから成る基本情報を有する自装置情報データベースと、
前記IP通信網に接続された通信可能な他装置の前記基本情報を有する他装置情報データベースと、
前記私設通信網に接続されている全てのメディアゲートウェイの障害監視を行う前記障害監視処理部と、
前記障害監視処理部が障害を検出したときの要求に応じて、前記他装置情報データベースの情報若しくは前記自装置情報データベースの情報を元にREGISTERメッセージ送信要求を行なう位置情報登録処理部と、
前記位置情報登録処理部らの要求に応じて、REGISTERメソッドを作成し前記公衆SIP網のSIPサーバーに対して位置登録及び認証を行う前記SIPメッセージ処理部を有することを特徴とするSIP対応メディアゲートウェイシステム。
【請求項５】
前記障害監視処理部は、前記私設通信網側との接続リンク状態の監視を行い、接続状態が切れた場合は前記IP通信網を経由して、同一私設通信網に接続されているメディアゲートウェイに障害情報を通知し、このような障害情報がメディアゲートウェイから通知されてくると、前記他装置情報データベースを利用し、前記位置情報登録処理部に対して他装置情報によるREGISTER登録を行なうように要請を出すことを特徴とする請求項４記載のSIP対応メディアゲートウェイシステム。
【請求項６】
前記障害監視処理部は、前記IP通信網側との接続リンク状態の監視を行ない、接続状態が切れた場合は復旧を待ち、復旧した場合、前記他装置情報データベースを元に全てのメディアゲートウェイに前記IP通信網を介して復旧情報を通知し、このような復旧情報がメディアゲートウェイから通知されてくると、前記自装置情報データベースを利用し前記位置情報登録処理部に対して自装置情報によるREGISTER登録を行なうように要請を出すことを特徴とする請求項４記載のSIP対応メディアゲートウェイシステム。
【発明の詳細な説明】
【技術分野】
【０００１】
本発明はSIP対応メディアゲートウェイシステム、特に、公衆SIP(セッションイニシエーションプロトコル)網に接続されるIP電話機から私設通信網に接続される電話機への通信時におけるメディアゲートウェイの制御に関する。
【背景技術】
【０００２】
この種の従来のSIP対応メディアゲートウェイシステムの一例（文献公知発明に係るものではない）を図１０に記載する。このシステムは、メディアゲートウェイ110，120と、メディアゲートウェイ110，120に接続される私設通信網140と、公衆SIP網130から構成されている。
【０００３】
メディアゲートウェイ110,120はREGISTERメソッドを公衆SIP網130へ送信する（図１０の矢印実線）。公衆SIP網130に存在するSIPサーバー200は、REGISTERメソッドに含まれるREGISTER番号及び認証情報を用いて、認証情報及び位置情報をデータベースに登録する。その後、メディアゲートウェイ110,120を介して、公衆SIP網130に接続される電話機と私設通信網140に接続されるIP電話機との間で、REGISTER番号A,Bを用いた音声通信が可能となる（例えば図１０の矢印点線）。
【０００４】
公衆SIP網130に接続される電話機と私設通信網140に接続されるIP電話機との間の音声通信を可能にする為の別の方式として、SIPサーバー200において位置情報を表１に示す様に静的に登録することにより、REGISTERメソッドを使用することを不要化したものも知られている。表１を参照すると、メディアゲートウェイ110のREGISTER番号AとIPアドレス情報、メディアゲートウェイ120のREGISTER番号BとIPアドレス情報が登録されている。
【０００５】
【表１】
2009055342.tif 000003
【０００６】
上記の技術では、メディアゲートウェイに障害が発生したことを認識・感知する手段・方法が無く、またREGISTER番号及び認証情報はメディアゲートウェイ自身のデータベースに存在して他に伝える手段が無いため、メディアゲートウェイに機器障害が発生すると通信が不通になる（図１１参照）。もっとも、SIPサーバー200にて表２に示す様に、一つのREGISTER番号に対して第一優先・第二優先のIPアドレス情報を予めデータベースに保有すれば、メディアゲートウェイ120はメディアゲートウェイ110の障害を感知する手段を持たなくとも、優先順位に従い、メディアゲートウェイ110を迂回することにより音声通信は可能となる。
【０００７】
【表２】
2009055342.tif 000004
【０００８】
また、ゲートウェイ装置を二重化構成とし、通信が不通になるのを防止した技術が知られている（例えば、特許文献１参照）。ここでは、通常運用のメディアゲートウェイから冗長用のメディアゲートウェイに信号経路を切り替える際、通常運用のメディアゲートウェイに保有しているIPアドレスとMACアドレスの少なくとも一方を冗長用のメディアゲートウェイに転送するようにしている。
【０００９】
【特許文献１】特開２００５−３３３２４３（第２頁）
【発明の開示】
【発明が解決しようとする課題】
【００１０】
しかしながら、上述の表２に基づく従来技術では、IPアドレスが変更された場合には、公衆SIP網130の中に存在するSIPサーバー200のデータベースの変更が必要となり、柔軟なネットワーク構築の妨げになるし、DHCP等動的にIPアドレスを取得するネットワークには適さないという問題点がある。
【００１１】
また、特許文献１記載の技術では、冗長用のメディアゲートウェイで通常運用のメディアゲートウェイを代行するため、ハードウェアに無駄が生じるという問題点がある。これを緩和するため、Ｎ個の通常運用のメディアゲートウェイに対して１個の冗長用のメディアゲートウェイを設けるという手法を採用することはできるが、この手法では、複数の通常運用のメディアゲートウェイに故障があると通信が不通になってしまい、Ｎの値が大きいほど、その確率が高くなる。
【００１２】
そこで、本発明の目的は、公衆SIP網と私設通信網を接続するメディアゲートウェイに障害が発生した際に音声通信を分断せず継続することを、冗長メディアゲートウェイ構成を採ることなく実現することができるメディアゲートウェイシステムを提供することにある。
【課題を解決するための手段】
【００１３】
本発明のSIP対応メディアゲートウェイシステムは、REGISTERメソッドに使用するREGISTER番号及び認証情報を管理する手段と、各メディアゲートウェイからのREGISTER番号及び認証情報によりメディアゲートウェイを経由して公衆SIP網と私設通信網を接続するSIP対応メディアゲートウェイシステムにおいて、メディアゲートウェイの障害状態を監視する手段と、メディアゲートウェイの障害発生時に、該メディアゲートウェイのREGISTER番号及び認証情報を正常状態のメディアゲートウェイに共有させる手段を備えたことを特徴とする。
【００１４】
より詳しくは、本発明のSIP対応メディアゲートウェイシステム（図１〜図４）は、各メディアゲートウェイからのREGISTER番号及び認証情報によりメディアゲートウェイを経由して公衆SIP網と私設通信網を接続するSIP対応メディアゲートウェイシステムにおいて、公衆SIP網及びメディアゲートウェイが接続されたIP通信網に、メディアゲートウェイそれぞれに対して設定されたREGISTER番号及び認証情報を格納している認証情報データベースと、各メディアゲートウェイの状態を監視し、メディアゲートウェイに障害が発生すると、障害が発生していないメディアゲートウェイを検索する障害監視処理部と、起動時および所定時間経過後にメディアゲートウェイから通知されるメディアゲートウェイ、また障害発生時に障害監視処理部から通知される障害が発生していないメディアゲートウェイそれぞれについてメディアゲートウェイ認証情報データベースを検索する番号・認証情報一括管理処理部と、起動時には起動通知元のメディアゲートウェイ、また障害発生時には障害監視処理部から通知される障害が発生していないメディアゲートウェイに番号・認証情報一括管理処理部が検索したREGISTER番号及び認証情報を通知する番号・認証情報通知処理部とで構成される制御サーバーを接続したことを特徴とする。
【００１５】
このように、本発明は、前述した問題点を解決する為に複数のメディアゲートウェイを制御する制御サーバーを使用することにより、REGISTERメソッドに使用する番号及び認証情報を管理する手段と、メディアゲートウェイの障害状態を監視する手段と、メディアゲートウェイ障害発生時に同一サーバーで制御されるメディアゲートウェイ同士の番号及び認証情報を共有させる手段を備えている。
【００１６】
これらの手段により障害発生時にも異なる２つのネットワークの音声通信を分断することなく継続することが可能となり、柔軟な通信ネットワークを構築することが可能となる。このような構成を採用し、サーバによるメディアゲートウェイを一元管理することにより本発明の目的を達成することができる。
【００１７】
このような制御サーバーを用いてメディアゲートウェイを一元管理する方法とは別に、制御サーバーを用いずメディアゲートウェイ自身に制御サーバーの役目であるデータベース管理・障害感知機能・番号及び認証情報共有機能を持たせることによっても同様の目的を達成することが可能となる。
【００１８】
すなわち、本発明の他のSIP対応メディアゲートウェイシステム（図７〜図９）は、各メディアゲートウェイからのREGISTER番号及び認証情報によりメディアゲートウェイを経由して公衆SIP網と私設通信網を接続するSIP対応メディアゲートウェイシステムにおいて、各メディアゲートウェイは、自装置のREGISTER番号情報，認証情報及び自装置IPアドレスから成る基本情報を有する自装置情報データベースと、IP通信網に接続された通信可能な他装置の基本情報を有する他装置情報データベースと、私設通信網に接続されている全てのメディアゲートウェイの障害監視を行う障害監視処理部と、障害監視処理部が障害を検出したときの要求に応じて、他装置情報データベースの情報若しくは自装置情報データベースの情報を元にREGISTERメッセージ送信要求を行なう位置情報登録処理部と、位置情報登録処理部らの要求に応じて、REGISTERメソッドを作成し公衆SIP網のSIPサーバーに対して位置登録及び認証を行うSIPメッセージ処理部を有することを特徴とする。
【発明の効果】
【００１９】
本発明によると、メディアゲートウェイの番号及び認証情報を一元管理し、複数のメディアゲートウェイ間において番号及び認証情報を共有することを可能にするとともに、メディアゲートウェイの障害監視を行って、障害発生時に番号及び認証情報を利用可能な他のメディアゲートウェイに配布する構成としたため、公衆SIP網と私設通信網を接続するメディアゲートウェイに障害が発生した際に音声通信を分断せず継続することを、冗長メディアゲートウェイ構成を採ることなく実現することができる。
【００２０】
また、何らかの事由によりメディアゲートウェイのIPアドレスが変更されてもSIPサーバーのデータベースを変更する必要がなく、柔軟で利便性の高い通信ネットワークを構築することを可能とする。その理由は、障害発生時に障害の発生していない別のメディアゲートウェイが番号及び認証情報を共有できることにより、障害中のメディアゲートウェイを代行してREGISTERメソッドを用いることによりサーバー内の位置情報を常に更新できるからである。
【発明を実施するための最良の形態】
【００２１】
次に、本発明を実施するための最良の形態について図面を参照して説明する。図１を参照すると、このSIP対応メディアゲートウェイシステムは、図１０と図１１に示した従来のメディアゲートウェイシステムに制御サーバー100を追加した構成となっている。すなわち、このシステムは、プログラム制御により動作する制御サーバー（メディアゲートウェイ制御装置）100と、２つのメディアゲートウェイ110，120と、公衆SIP網130とがIP通信網160を介して接続されている。
【００２２】
更に、メディアゲートウェイ110，120は私設通信網140に接続され、公衆SIP網130にはSIPサーバー150が含まれている。図示を省略しているが、公衆SIP網130にはIP電話機、私設通信網140には通常電話機がそれぞれ接続され、公衆SIP網130，IP通信網160，メディアゲートウェイ110，120及び私設通信網140を経由してIP電話機と通常電話機の間で通話通信を行なうことができる。
【００２３】
メディアゲートウェイ110，120は、IP電話機と通常電話機という媒体及びプロトコルが異なるメディアデータを相互に変換して通信を可能にする。図１では２つのメディアゲートウェイ110，120が示されているが、その個体数は通信トラフィック量と制御サーバー100の管理能力の限界値に依存する。メディアゲートウェイ110，120は制御サーバー100によって一元制御される。すなわち、制御サーバー100は自制御下にある全てのメディアゲートウェイ（この例ではメディアゲートウェイ110，120）のREGISTER番号及び認証情報をデータベースに保持・管理し、そのアクセスを制御する。
【００２４】
メディアゲートウェイ110はREGISTERメソッドを公衆SIP網130へ送信する（図２の矢印実線）。図２は、図１に障害発生前における信号の流れを書き加えたものである。この送信は、電源投入後にメディアゲートウェイ110がレディ状態となったとき、および所定時間経過した送信内容の更新時である。ここで、メソッドとはリクエストの意であり、REGISTERメソッドとは、クライアントとしてのメディアゲートウェイ110，120がSIPサーバー150で認証を行ってもらい、SIPサーバー150にネットワークアドレスを登録するために使用するメソッドをいう。
【００２５】
公衆SIP網130に存在するSIPサーバー150は、REGISTERメソッドに含まれるREGISTER番号A及び認証情報Aを用いて、その認証情報及びネットワークアドレスをデータベースに登録する。その後、メディアゲートウェイ110を介して、公衆SIP網130に接続されるIP電話機と私設通信網140に接続される通常電話機との間で、REGISTER番号Aを用いた音声通信が可能となる（例えば図２の矢印点線）。なお、REGISTER番号とは電話番号の意である。
【００２６】
なお、メディアゲートウェイ120についても、REGISTER番号B及び認証情報Bを用いて同様の手順を行い、メディアゲートウェイ120を介して、公衆SIP網130に接続されるIP電話機と私設通信網140に接続される通常電話機との間で音声通信が可能となる。このとき、REGISTER番号A及び認証情報Aはメディアゲートウェイ110にのみ保有されている情報であり、REGISTER番号B及び認証情報Bはメディアゲートウェイ120にのみ保有されている情報である。
【００２７】
図２に示したように、公衆SIP網130，IP通信網160，メディアゲートウェイ110及び私設通信網140を経由して、IP電話機から通常電話機へのREGISTER番号Aを用いた音声通信が行なわれていたとする。制御サーバー100はメディアゲートウェイ110，120の障害監視を行なっている。メディアゲートウェイ110に障害が発生すると、メディアゲートウェイ110を経由した音声通信はできなくなる。
【００２８】
この場合、制御サーバー100はメディアゲートウェイ120に対して認証情報共有化処理を行う。この結果、これまでのメディアゲートウェイ110を経由した音声通信がメディアゲートウェイ120を経由して継続できるようになる（図３参照）。図３は、図１に障害発生前における信号の流れを書き加えたものである。認証情報共有化処理とは、一つのメディアゲートウェイが、本来設定されている自身のREGISTER番号及び認証情報による機能を維持したまま、他のメディアゲートウェイに設定されているREGISTER番号及び認証情報による機能をも果たすことができるようにする処理をいう。
【００２９】
制御サーバー100の詳細を図４に示す。このブロック図を参照すると、制御サーバー100は、障害監視処理部101と、番号・認証情報一括管理処理部102と、番号・認証情報通知処理部103と、認証情報データベース104から構成されている。これらの手段はそれぞれ概略つぎのように動作する。
【００３０】
認証情報データベース104は、メディアゲートウェイ110，120それぞれに対して設定されたREGISTER番号及び認証情報を格納しており、番号・認証情報一括管理処理部102によってアクセスされる。
【００３１】
障害監視処理部101は、IP通信網160を通してメディアゲートウェイ110，120の状態を監視し、メディアゲートウェイに障害が発生すると、自制御下にある他の異なる利用可能な（障害が発生していない）メディアゲートウェイを検索する。そして、検索したメディアゲートウェイを番号・認証情報一括管理処理部102、障害が発生したメディアゲートウェイを番号・認証情報通知処理部103に通知する。
【００３２】
番号・認証情報一括管理処理部102は、サーバプログラムにより、メディアゲートウェイ110，120が公衆SIP網130に対して送信するREGISTER番号及び認証情報を一括管理する。すなわち、起動通知時および所定時間経過後にメディアゲートウェイ110，120から通知されるメディアゲートウェイ、また障害発生時に障害監視処理部101から通知されるメディアゲートウェイそれぞれについてメディアゲートウェイ認証情報データベース104を検索し、該当するREGISTER番号及び認証情報を番号・認証情報通知処理部103に伝える。
【００３３】
番号・認証情報通知処理部103は、番号・認証情報一括管理処理部102からのREGISTER番号及び認証情報を、起動時には起動通知元のメディアゲートウェイ、また障害発生時には障害監視処理部101から通知されるメディアゲートウェイに通知する。すなわち、障害発生時には障害監視処理部101を通じて得た障害情報を元に利用可能な他のメディアゲートウェイにREGISTER番号及び認証情報を通知し、認証情報を共有化させる機能を有するのである。
【００３４】
次に、図５に示す処理シーケンスを参照して本実施の形態の全体の動作について詳細に説明する。
【００３５】
先ず、メディアゲートウェイ110及び120が起動し、制御サーバー100の内の番号・認証情報一括管理処理部102に対してIP通信網160を介し起動通知を送信する（図５のＳ１）。起動通知を受信した番号・認証情報一括管理処理部102は、起動通知の送信元のメディアゲートウェイについて認証情報データベース104を検索し（図５のＳ２）、メディアゲートウェイ110，120に対して設定されたREGISTER番号及び認証情報を求めて番号・認証情報通知処理部103に引き渡し、番号・認証情報通知処理部103からメディアゲートウェイ110，120へ通知する（図５のＳ３）。
【００３６】
REGISTER番号及び認証情報を受信したメディアゲートウェイ110，120は、制御サーバー100から受信した情報を元にSIPメッセージREGISTERを公衆SIP網130へ送信し（図５のＳ４）、SIPサーバー150は認証・位置登録を行う。
【００３７】
この状態でメディアゲートウェイ110，120は、公衆SIP網130と私設通信網140を接続するゲートウェイとして利用可能状態となる。制御サーバー100の内の障害監視処理部101は自制御下にあるメディアゲートウェイ110，120の障害監視を行う（図５のＳ５）。そして、例えばメディアゲートウェイ110に障害が発生した場合、障害監視を行っていた障害監視処理部101は障害を検知すると（図５のＳ６）、自制御下にある他の異なる利用可能なメディアゲートウェイを検索する（図５のＳ７）。
【００３８】
障害監視処理部101は、障害が発生したメディアゲートウェイ110を番号・認証情報一括管理処理部102、上記検索によって得られたメディアゲートウェイ（この例ではメディアゲートウェイ120）を番号・認証情報通知処理部103にそれぞれ通知する。
【００３９】
すると、番号・認証情報一括管理処理部102はメディアゲートウェイ110のREGISTER番号及び認証情報を認証情報データベース104から検索して求め（図５のＳ８）、番号・認証情報通知処理部103に伝える。番号・認証情報通知処理部103は、この情報をメディアゲートウェイ120に伝える（図５のＳ９）。すなわち、障害監視処理部101は、メディアゲートウェイ120を障害が発生したメディアゲートウェイ110の代用として運用できるように、本来はメディアゲートウェイ110のために設定されたREGISTER番号及び認証情報をメディアゲートウェイ120に通知するのである。
【００４０】
本通知を受けた代替のメディアゲートウェイ120は、メディアゲートウェイ120としての情報を保持したまま公衆SIP網130に対しメディアゲートウェイ110のために設定されたREGISTER番号及び認証情報を用いたSIPメッセージREGISTERを送信する（図５のＳ１０）。これが認証情報共有化処理である。この結果、メディアゲートウェイ120は、メディアゲートウェイ110の代用ゲートウェイであるとともに、本来のメディアゲートウェイ120自身という複数の装置の役割を果たすことができる。このような措置に対する私設通信網140における対応処理は上述の代替処理と齟齬をきたさないように行なうことができる。
【００４１】
図６は本発明の第２の実施の形態を示し、第１の実施の形態における制御サーバー100に代ってIP-PBX170が示されている。IP-PBX170は、IP電話端末の回線交換を行なう本来のIP-PBXに制御サーバー100の機能を組み込んだものである。この実施の形態の動作は、第１の実施の形態における制御サーバー100をIP-PBX170と読み代えればよい。
【００４２】
次に、本発明の第３の実施の形態について図面を参照して説明する。図７を参照すると、このメディアゲートウェイシステムは、図１に示した第１の実施の形態における制御サーバー100の機能をメディアゲートウェイ180，190に組み込んだ構成となっている。その他の構成要素の機能は、参照番号の下２桁が共通する図１における構成要素の機能と同一である。
【００４３】
メディアゲートウェイ180は、自装置情報として番号情報A及び認証情報Aを有し、他装置情報として番号情報B及び認証情報B及び他装置IPアドレス情報を有している。メディアゲートウェイ190についても同様に、自装置情報として番号情報B及び認証情報Bを有し、他装置情報として番号情報A及び認証情報A及び他装置IPアドレス情報を有している。また、メディアゲートウェイ180，190は、それぞれが互いの障害を監視する機能を有している。
【００４４】
メディアゲートウェイ180で障害が発生した場合、メディアゲートウェイ190は前述した監視機能により障害が発生したメディアゲートウェイ180を特定し、自らの保有する他装置情報とのマッチング（即ち、障害が発生したメディアゲートウェイとその装置情報の一致）に成功した場合、メディアゲートウェイ190はメディアゲートウェイ180を代行してREGISTERメソッドを用いて公衆SIP網130へ認証要求を行い動的に位置情報登録を行う。この結果、図２と同様に、これまでのメディアゲートウェイ180を経由した音声通信がメディアゲートウェイ190を経由して継続できるようになる（図８参照）。
【００４５】
図９にメディアゲートウェイ180の詳細ブロック図を示す。メディアゲートウェイ190も同構成である。メディアゲートウェイ180は、障害監視処理部181，呼制御処理部182，SIPメッセージ処理部183，位置情報登録処理部184，自装置情報データベース185及び他装置情報データベース186から成る。
【００４６】
障害監視処理部181は、私設通信網140に接続されている全てのメディアゲートウェイの障害監視をIP通信網160経由で双方向にて行う。障害を検出すると、他装置情報データベース186を利用し、位置情報登録処理部184に対して他装置情報によるREGISTER登録を行なうように要請を出す。
【００４７】
また、私設通信網140側との接続リンク状態の監視を行い、接続状態が切れた場合はIP通信網160を経由して、同一私設通信網140に接続されているメディアゲートウェイ190に障害情報を通知する。このような障害情報がメディアゲートウェイ180から通知されてくると、他装置情報データベース186を利用し、位置情報登録処理部184に対して他装置情報によるREGISTER登録を行なうように要請を出す。
【００４８】
また、IP通信網160側との接続リンク状態の監視を行ない、接続状態が切れた場合は復旧を待つ。復旧した場合、他装置情報データベース186を元に全てのメディアゲートウェイ（この例では190のみ）にIP通信網160を介して復旧情報を通知する。このような復旧情報がメディアゲートウェイ190から通知されてくると、自装置情報データベース185を利用し位置情報登録処理部184に対して自装置情報によるREGISTER登録を行なうように要請を出す。
【００４９】
呼制御処理部182は、私設通信網140から受信したプロトコル信号をSIPメッセージ処理部183へ通知し、SIPメッセージ処理部183から受信したプロトコル信号を私設通信網140に適した通信プロトコルに変換し私設通信網140にプロトコル信号を送出する。また、SIPメッセージ処理部183に対して、必要に応じて他装置情報データベース186や自装置情報データベース185の情報を通知する。
【００５０】
SIPメッセージ処理部183は、位置情報登録処理部184からの要求に応じて、REGISTERメソッドを作成しSIPサーバー150に対して位置登録及び認証を行なう。また、呼制御処理部182からの要求に応じてSIPで定義されている各種メソッド及びレスポンスをSIPサーバー150に対して行なう。
【００５１】
位置情報登録処理部184は、障害監視処理部181からの要求に応じて、他装置情報データベース186の情報若しくは自装置情報データベース185の情報を元にSIPメッセージ処理部183に対してREGISTERメッセージ送信要求を行なう。
【００５２】
自装置情報データベース185は自装置の基本情報を有し、他装置情報データベース186は障害監視対象となる、IP通信網160に接続された通信可能な他装置の基本情報を有する。なお、基本情報とは、REGISTER番号情報、認証情報及び他（自）装置IPアドレスをいう。従って、表３に示すように、メディアゲートウェイ180の自装置情報データベース185は、REGISTER番号A，認証情報A及びメディアゲートウェイ180のIPアドレスを基本情報として有し、他装置情報データベース187はREGISTER番号B，認証情報B及びメディアゲートウェイ190のIPアドレスを基本情報として有する。
【００５３】
【表３】
2009055342.tif 000005
【産業上の利用可能性】
【００５４】
本発明は音声通信網間及びデータ通信網間を接続するシステムに利用可能となる。
【図面の簡単な説明】
【００５５】
【図１】本発明の第１実施形態の構成を示す図
【図２】図１に障害発生前の信号の流れを書き加えた図
【図３】図１に障害発生後の信号の流れを書き加えた図
【図４】第１実施形態における制御サーバーの詳細を示す図
【図５】本発明の第１実施形態の処理シーケンスを示す図
【図６】本発明の第２実施形態の構成を示す図
【図７】本発明の第３実施形態の構成を障害発生前の信号の流れと共に示す図
【図８】本発明の第３実施形態における障害発生後の信号の流れを示す図
【図９】第３実施形態におけるメディアゲートウェイの詳細を示す図
【図１０】従来のSIP対応メディアゲートウェイにおける障害発生前の信号の流れを示す図
【図１１】従来のSIP対応メディアゲートウェイにおける障害発生後の信号の流れを示す図
【符号の説明】
【００５６】
100                制御サーバー
101                障害監視処理部
102                番号・認証情報一括管理処理部
103                番号・認証情報通知処理部
104                認識情報データベース
110,120,180,190    メディアゲートウェイ
130                公衆SIP網
140                私設通信網
150                SIPサーバー
160                IP通信網
170                IP-PBX
【図１】
2009055342.tif 000006
【図２】
2009055342.tif 000007
【図３】
2009055342.tif 000008
【図４】
2009055342.tif 000009
【図５】
2009055342.tif 000010
【図６】
2009055342.tif 000011
【図７】
2009055342.tif 000012
【図８】
2009055342.tif 000013
【図９】
2009055342.tif 000014
【図１０】
2009055342.tif 000015
【図１１】
2009055342.tif 000016